【手続補正書】
【提出日】平成16年6月1日(2004.6.1)
【手続補正１】
【補正対象書類名】特許請求の範囲
【補正対象項目名】全文
【補正方法】変更
【補正の内容】
【特許請求の範囲】
【請求項１】
ワイヤレスネットワークにおける特徴を制約するシステムであって：
少なくとも１つの基地局；と、
当該少なくとも１つの基地局にワイヤレス接続されている少なくとも１つの端末の特徴を制約するための規則の表現を含む少なくとも１つのデータベースとを有しており、
前記少なくとも１つの端末のうちの少なくとも１つの端末に対する制約は、前記少なくとも１つの基地局のうちの特定の１つの基地局に依存する、
ことを特徴とするシステム。
【請求項２】
特徴への制約は少なくとも時刻に依存する、請求項１記載のシステム。
【請求項３】
特徴への制約は少なくとも、前記少なくとも１つの端末の優先順位に依存する、請求項１記載のシステム。
【請求項４】
特徴への制約は少なくとも、コミュニケーションが緊急として到来するかに依存する、請求項１記載のシステム。
【請求項５】
特徴への制約は少なくとも、コミュニケーションが緊急として指定されているかに依存する、請求項１記載のシステム。
【請求項６】
前記端末はワイヤレス電話である、請求項１記載のシステム。
【請求項７】
端末は鳴ってはいけないという、特徴への制約がある、請求項１記載のシステム。
【請求項８】
少なくとも、前記少なくとも１つの端末が前記少なくとも１つの基地局にワイヤレス接続されているかどうかに依存して、そうでない場合には前記少なくとも１つの端末の位置に依存しないかによって規則が適用される、請求項１記載のシステム。
【請求項９】
特徴への制約はさらに、前記少なくとも１つの端末の特定の少なくとも１つの端末に依存する、請求項１記載のシステム。
【請求項１０】
特徴への制約は、前記少なくとも１つの端末の特定の一致識別に依存しないで前記少なくとも１つの基地局によって呼び出された制約を含む、請求項１記載のシステム。
【請求項１１】
ワイヤレスネットワークにおける特徴を制約する方法であって、以下のステップを有する：すなわち、
複数の端末のうちのどの端末が受信コミュニケーションに関連しているのかを特定し；
複数の端末のうちの前記１つの端末に接続された基地局への制約を支配する規則を検索するために少なくとも１つのデータベースにアクセスし、前記基地局への制約は複数の端末のうちの前記１つの端末の特定の一致識別に依存せず；
許可されている場合には複数の端末のうちの前記１つの端末をアクティブにし、当該許可は少なくとも前記基地局への制約に依存する、
ことを特徴とする、ワイヤレスネットワークにおける特徴を制約する方法。
【請求項１２】
複数の端末のうちの前記１つの端末への制約を支配する規則を検索するために少なくとも１つのデータベースにアクセスし、当該許可は少なくとも、複数の端末のうちの前記１つの端末への制約に依存する、ステップをさらに含む、請求項１１記載の方法。
【請求項１３】
前記許可は前記少なくとも１つの端末の位置に依存しない、請求項１１記載の方法。
【請求項１４】
前記許可は、前記コミュニケーションが緊急として指定されているかに依存する、請求項１１記載の方法。
【請求項１５】
前記基地局への制約は時間に依存する、請求項１１記載の方法。
【請求項１６】
前記許可は少なくとも、コミュニケーションの形式に依存する、請求項１１記載の方法。
【請求項１７】
複数の端末のうちの前記１つの端末はワイヤレス電話である、請求項１１記載のシステム。
【請求項１８】
複数の端末のうちの前記１つの端末を鳴らしてはいけないという基地局への制約がある、請求項１１記載のシステム。
【請求項１９】
ワイヤレスネットワークにおける特徴を制約する方法であって、以下のステップを有する：すなわち、
送信コミュニケーションに対する要求に関連した端末からの信号を受信する基地局への制約を支配する規則を検索するために少なくとも１つのデータベースにアクセスし、前記基地局への制約は送信コミュニケーションに対する要求に関連した端末の特定の一致識別に依存せず；
許可されている場合に送信コミュニケーションに対する端末を接続し、当該許可は少なくとも前記基地局への制約に依存する、
ことを特徴とする、ワイヤレスネットワークにおける特徴を制約する方法。
【請求項２０】
端末への制約を支配する規則を検索するために少なくとも１つのデータベースにアクセスし、当該許可は少なくとも端末への制約に依存する、ステップをさらに含む、請求項１９記載の方法。
【請求項２１】
前記許可は少なくとも、前記端末が所定の室内にあるかに依存する、請求項１９記載の方法。
【請求項２２】
前記許可は少なくとも、前記コミュニケーションが緊急として指定されているかに依存する、請求項１９記載の方法。
【請求項２３】
前記基地局への制約は時間に依存する、請求項１９記載の方法。
【請求項２４】
前記許可は少なくとも、コミュニケーションの形式に依存する、請求項１９記載の方法。
【請求項２５】
前記端末はワイヤレス電話である、請求項１９記載のシステム。
【請求項２６】
前記許可は、端末の位置に依存しない、請求項１９記載の方法。
【請求項２７】
ワイヤレスネットワークにおける特徴を制約するシステムであって：
複数の基地局；と、
少なくとも１つのデータベースを有しており、前記複数の基地局のうちの少なくとも２つの基地局への制約に対する規則の表現を含む前記データベースのうちの少なくとも１つのデータベースを有しており、
前記基地局が、基地局によって受信されたコミュニケーションに、デバイスから発せられたコミュニケーションの特定の一致識別に依存せず、コミュニケーションデスティネーションデバイスの特定の一致識別に依存しない制約を与えるか否かを示す制約の規則を有しており、
コミュニケーション発信デバイスおよびコミュニケーションデスティネーションデバイスのうちの１つは、前記基地局の有効範囲内のワイヤレス端末である、
ことを特徴とするシステム。
【請求項２８】
ワイヤレスネットワークにおける特徴を制約するシステムであって：
少なくとも１つの基地局と；
前記少なくとも１つの基地局にワイヤレス接続された少なくとも１つの端末の特徴を制約するための規則の表現を含む少なくとも１つのデータベースを有しており、
特徴への制約は少なくとも、コミュニケーションが緊急として指定されているかに依存する、
ことを特徴とするシステム。
【請求項２９】
ワイヤレスネットワークにおける特徴を制約する方法であって、以下のステップを有する：すなわち、
複数の端末のうちのどの端末が受信コミュニケーションに関連しているのかを特定し、
複数の端末のうちの前記１つの端末に接続された基地局への制約を支配する規則を検索するために少なくとも１つのデータベースにアクセスし、
許可されている場合には複数の端末のうちの前記１つの端末をアクティブにし、当該許可は少なくとも、コミュニケーションが緊急として指定されているかの制約に依存する、
ことを特徴とする、ワイヤレスネットワークにおける特徴を制約する方法。
【請求項３０】
ワイヤレスネットワークにおける特徴を制約する方法であって、以下のステップを有する：すなわち、
送信コミュニケーションに対する要求に関連した端末からの信号を受信する基地局への制約を支配する規則を検索するために、少なくとも１つのデータベースにアクセスし；
許可されている場合に送信コミュニケーションに対する端末を接続し、当該許可は少なくとも、前記コミュニケーションが緊急として指定されているかに依存する、
ことを特徴とする、ワイヤレスネットワークにおける特徴を制約する方法。